(57)【特許請求の範囲】
【請求項１】
枠体に回転可能に支持された駆動軸の回転に基づいて遮蔽材を駆動可能とし、前記枠体に前記駆動軸を回転操作する操作棒を備えた日射遮蔽装置において、
前記操作棒に配置され、該操作棒の軸方向に一定のストロークで往復動作されることで前記操作棒を回転する移動操作体と、
前記移動操作体の往復動作に基づいて、前記操作棒を一定角度ずつ回転させるラチェット機構と
を備えたことを特徴とする日射遮蔽装置。
【請求項２】
前記移動操作体を前記操作棒の下端部に配置し、前記移動操作体と前記操作棒との間に、前記ラチェット機構を備えたことを特徴とする請求項１記載の日射遮蔽装置。
【請求項３】
前記ラチェット機構は、
前記移動操作体の引き下げ操作に基づいて圧縮されるコイルスプリングと、
前記移動操作体の引き下げ操作に基づいて、前記コイルスプリングの付勢力に基づいて前記操作棒を一定角度回転させるカム体と
を備えたことを特徴とする請求項２記載の日射遮蔽装置。
【請求項４】
前記移動操作体にはグリップ部を前記操作棒の軸方向に移動可能に吊下支持して、前記移動操作体を前記グリップ部との間隔が小さくなるように引き下げ操作可能とし、
前記カム体は、
前記操作棒の下端に配置された第一のカム体と、
前記移動操作体に配置され、該移動操作体を引き下げ操作しないとき、前記第一のカム体と係合して前記移動操作体と前記操作棒との相対回転を阻止する突部を備えた第二のカム体と、
前記グリップ部に配置された第三のカム体と
を備え、
前記第一のカム体と前記第二及び第三のカム体には、前記移動操作体を下方へ引き下げたとき、前記コイルスプリングの付勢力に基づいて互いに当接して前記操作棒を回転させる斜面を備えたことを特徴とする請求項３記載の日射遮蔽装置。
【請求項５】
前記移動操作体と前記グリップ部との間には、前記移動操作体を引き下げ操作しないとき、前記移動操作体に対する前記グリップ部の位置を原位置に復帰させるコイルスプリングを備えたことを特徴とする請求項４記載の日射遮蔽装置。
【請求項６】
前記ラチェット機構は、
前記移動操作体の押し上げ操作に基づいて圧縮されるコイルスプリングと、
前記移動操作体の押し上げ操作に基づいて、前記コイルスプリングの付勢力に基づいて前記操作棒を一定角度回転させるカム体と
を備えたことを特徴とする請求項２記載の日射遮蔽装置。
【請求項７】
前記操作棒の下端部にグリップ本体を取着し、前記グリップ本体には前記移動操作体を前記操作棒の軸方向に移動可能に吊下支持して、前記移動操作体を前記グリップ本体との間隔が小さくなるように押し上げ操作可能とし、
前記カム体は、
前記操作棒の下端に配置された第四のカム体と、
前記グリップ本体に配置され、前記移動操作体を押し上げ操作しないとき、前記第四のカム体と係合して前記グリップ本体と前記操作棒との相対回転を阻止する突部を備えた第五のカム体と、
前記移動操作体に配置された第六のカム体と
を備え、
前記第四のカム体と前記第五及び第六のカム体には、前記移動操作体を上方へ押し上げたとき、前記コイルスプリングの付勢力に基づいて互いに当接して前記操作棒を回転させる斜面を備えたことを特徴とする請求項６記載の日射遮蔽装置。
【発明の詳細な説明】
【技術分野】
【０００１】
この発明は、操作棒の回転操作により日射遮蔽材を操作する日射遮蔽装置の操作装置に関するものである。
【背景技術】
【０００２】
横型ブラインドの一種類として、ヘッドボックスの一端から垂下される操作棒を回転操作することにより、スラットの角度調節操作を行うようにしたものがある。このような横型ブラインドでは、操作棒を回転操作すると、ヘッドボックス内に設けられたギヤボックスを介して角度調節軸が回転され、その角度調節軸の回転に基づいて角度調節装置が駆動され、ラダーコードを介して各スラットが同位相で回動される。
【０００３】
そして、各スラットを全閉状態から逆全閉状態までのほぼ１８０度の範囲で任意の角度に角度調節可能となっている。
【先行技術文献】
【特許文献】
【０００４】
【特許文献１】米国特許第４７５９３９８号明細書
【特許文献２】国際公開第９８／２７３０７号パンフレット
【発明の概要】
【発明が解決しようとする課題】
【０００５】
上記のような横型ブラインドでは、操作棒の回転角度に応じてスラットが回動されるため、スラットの昇降操作に続いて、スラットを常に一定の角度に調整しようとすると、その調整作業が煩雑となる。
【０００６】
すなわち、スラットの回動操作を迅速に行うために、ギヤボックスの減速比はそれほど大きくなる。従って、操作棒の回転操作によりスラットの角度を微細に調整する作業が煩雑となる。
【０００７】
また、多数の横型ブラインドが連装される場合に、各横型ブラインドのスラット角度を揃えることも容易ではない。
特許文献１及び特許文献２には、操作棒の把持部を上下方向にスライドさせることにより、操作棒を回転させてスラットを回動させる構成が開示されているが、把持部のスライド操作によりスラットを一定角度ずつ回動させるための構成は開示されていない。
【０００８】
この発明の目的は、操作棒の把持部を操作棒の軸方向にスライドさせて、操作棒を一定角度ずつ回動操作可能とした日射遮蔽装置を提供することにある。
【課題を解決するための手段】
【０００９】
請求項１では、枠体に回転可能に支持された駆動軸の回転に基づいて遮蔽材を駆動可能とし、前記枠体に前記駆動軸を回転操作する操作棒を備えた日射遮蔽装置において、前記操作棒に配置され、該操作棒の軸方向に一定のストロークで往復動作されることで前記操作棒を回転する移動操作体と、前記移動操作体の往復動作に基づいて、前記操作棒を一定角度ずつ回転させるラチェット機構とを備えた。
【００１０】
請求項２では、前記移動操作体を前記操作棒の下端部に配置し、前記移動操作体と前記操作棒との間に、前記ラチェット機構を備えた。
請求項３では、前記ラチェット機構は、前記移動操作体の引き下げ操作に基づいて圧縮されるコイルスプリングと、前記移動操作体の引き下げ操作に基づいて、前記コイルスプリングの付勢力に基づいて前記操作棒を一定角度回転させるカム体とを備えた。
【００１１】
請求項４では、前記移動操作体にはグリップ部を前記操作棒の軸方向に移動可能に吊下支持して、前記移動操作体を前記グリップ部との間隔が小さくなるように引き下げ操作可能とし、前記カム体は、前記操作棒の下端に配置された第一のカム体と、前記移動操作体に配置され、該移動操作体を引き下げ操作しないとき、前記第一のカム体と係合して前記移動操作体と前記操作棒との相対回転を阻止する突部を備えた第二のカム体と、前記グリップ部に配置された第三のカム体とを備え、前記第一のカム体と前記第二及び第三のカム体には、前記移動操作体を下方へ引き下げたとき、前記コイルスプリングの付勢力に基づいて互いに当接して前記操作棒を回転させる斜面を備えた。
【００１２】
請求項５では、前記移動操作体と前記グリップ部との間には、前記移動操作体を引き下げ操作しないとき、前記移動操作体に対する前記グリップ部の位置を原位置に復帰させるコイルスプリングを備えた。
【００１３】
請求項６では、前記ラチェット機構は、前記移動操作体の押し上げ操作に基づいて圧縮されるコイルスプリングと、前記移動操作体の押し上げ操作に基づいて、前記コイルスプリングの付勢力に基づいて前記操作棒を一定角度回転させるカム体とを備えた。
【００１４】
請求項７では、前記操作棒の下端部にグリップ本体を取着し、前記グリップ本体には前記移動操作体を前記操作棒の軸方向に移動可能に吊下支持して、前記移動操作体を前記グリップ本体との間隔が小さくなるように押し上げ操作可能とし、前記カム体は、前記操作棒の下端に配置された第四のカム体と、前記グリップ本体に配置され、前記移動操作体を押し上げ操作しないとき、前記第四のカム体と係合して前記グリップ本体と前記操作棒との相対回転を阻止する突部を備えた第五のカム体と、前記移動操作体に配置された第六のカム体とを備え、前記第四のカム体と前記第五及び第六のカム体には、前記移動操作体を上方へ押し上げたとき、前記コイルスプリングの付勢力に基づいて互いに当接して前記操作棒を回転させる斜面を備えた。
【発明の効果】
【００１５】
本発明によれば、操作棒の把持部を操作棒の軸方向にスライドさせて、操作棒を一定角度ずつ回動操作可能とした日射遮蔽装置を提供することができる。
【図面の簡単な説明】
【００１６】
【図１】横型ブラインドを示す正面図である。
【図２】（ａ）〜（ｅ）は操作装置の動作を示す断面図である。
【図３】（ａ）〜（ｆ）は操作装置の動作を示す斜視図である。
【図４】第二の実施形態の操作装置を示す断面図である。
【図５】第二の実施形態の操作装置を示す分解斜視図である。
【図６】（ａ）〜（ｅ）は第二の実施形態の操作装置の動作を示す断面図である。
【発明を実施するための形態】
【００１７】
以下、この発明を具体化した一実施形態を図面に従って説明する。図１に示す横型ブラインドは、ヘッドボックス１から複数本のラダーコード２を介して多数段のスラット３が吊下支持され、各ラダーコード２の下端にはボトムレール４が取着されている。
【００１８】
前記ラダーコード２の上端部は、前記ヘッドボックス１内において支持ドラム５に取着され、その支持ドラム５は支持部材６に回転可能に支持されている。前記支持ドラム５には駆動軸７が嵌挿され、その駆動軸７の一端は、ヘッドボックス１の一端に配設されるギヤボックス８に嵌挿される。
【００１９】
前記ギヤボックス８から操作棒９が垂下され、その操作棒９を回転操作すると、ギヤボックス８を介して駆動軸７が回転され、駆動軸７の回転にともなって前記支持ドラム５が回転される。
【００２０】
従って、操作棒９の回転操作により支持ドラム５が回転され、その支持ドラム５の回転により、ラダーコード２を介して各スラット３が回動される。前記ギヤボックス８のギヤ比は、操作棒９を正方向あるいは逆方向に数回転させたとき、スラット３が全閉状態から逆全閉状態まで、あるいはその逆方向に回動されるように設定されている。
【００２１】
前記スラット３には、前記各ラダーコード２による支持部近傍において昇降コード１０がそれぞれ挿通され、各昇降コード１０の一端に前記ボトムレール４が吊下支持されている。
【００２２】
前記複数本の昇降コード１０の他端は、前記ヘッドボックス１内をその一端側に案内され、ストッパー装置１１を介してヘッドボックス１外へ垂下され、コードイコライザ１２に接続されている。前記コードイコライザ１２には操作コード１３の一端が接続され、その操作コード１３の他端は前記ボトムレール４の一端に接続されている。
【００２３】
そして、操作コード１３を操作して昇降コード１０をヘッドボックス１から引き出せば、ボトムレール４が引き上げられて、下段のスラット３から順次引き上げられる。ボトムレール４を所望高さまで引き上げた後操作コード１３を手放せば、ストッパー装置１１が作動して、ボトムレール４の自重降下が阻止され、スラット３が所望高さに吊下支持される。
【００２４】
また、ストッパー装置１１から垂下される昇降コード１０をヘッドボックス１に沿って斜め方向に引くと、ストッパー装置１１の作動が解除される。この状態で、ボトムレール４及びスラット３の重量に基づいて昇降コード１０をヘッドボックス１内に引き込ませれば、ボトムレール４が下降して、上段のスラット３から順次ラダーコード２に支持される状態に復帰する。
【００２５】
前記操作棒９の下端部には、前記操作棒９を一定角度ずつ回転操作するための操作装置１４が設けられている。この操作装置１４の具体的構成を図２及び図３に従って説明する。
【００２６】
前記操作棒９は中空状の六角棒で形成され、その下端部が上グリップ部（把持部）１５に挿通されている。前記上グリップ部１５は、円筒状のグリップ筒１６の上端部にキャップ１７が嵌着されている。前記キャップ１７の径方向中央部には前記操作棒９の直径より若干大きい直径の断面円形の挿通孔１８が形成され、その挿通孔１８に前記操作棒９が回転可能に挿通されている。
【００２７】
前記キャップ１７に挿通された操作棒９の下端には第一のカム体１９が取着されている。第一のカム体１９は、その中間部に前記上グリップ部１５内に挿入可能とした直径でフランジ部２０が形成され、そのフランジ部２０の中心部から上方へ延びる嵌合軸２１が前記操作棒９の中心部の円形孔２２に相対回転不能に嵌着されている。そして、第一のカム体１９は前記操作棒９とともに上グリップ部１５内で上下方向に移動可能にかつ回転可能に支持されている。
【００２８】
前記上グリップ部１５内において、前記キャップ１７と前記フランジ部２０との間にはコイルスプリング２３が配設され、常にはそのコイルスプリング２３の付勢力によりキャップ１７とフランジ部２０との間に一定の間隔が確保されている。
【００２９】
前記フランジ部２０の下面には、図２（ａ）及び図３（ｂ）に示すように、中心に対し線対称状となる位置に、下方に向かって突出する突部２４ａ，２４ｂが形成され、その突部２４ａ，２４ｂの下端には周方向に沿って傾く点対称状の斜面２５がそれぞれ形成されている。
【００３０】
前記上グリップ部１５の内周面には、前記第一のカム体１９に係合する第二のカム体２６が一体に形成されている。第二のカム体２６は、図２（ａ）及び図３（ｂ）に示すように、グリップ筒１６の内周面に断面扇形の突部２７ａ〜２７ｄが９０度間隔に形成され、各突部２７ａ〜２７ｄ間に前記第一のカム体１９の突部２４ａ，２４ｂが上下動可能にかつ相対回転不能に挿通されている。
【００３１】
前記突部２７ａ〜２７ｄの上端には、前記突部２４ａ，２４ｂの斜面２５と同方向の斜面２８が形成されている。そして、図２（ｃ）及び図３（ｄ）に示すように、突部２４ａ，２４ｂの下端が突部２７ａ〜２７ｄの上端より上方に位置すると、突部２４ａ，２４ｂの斜面２５が突部２７ａ〜２７ｄの斜面上に移動して、第一のカム体１９と第二のカム体２６とが相対的に回転可能となっている。
【００３２】
前記上グリップ部１５内の第二のカム体２６には、下グリップ部３０に設けられた第三のカム体２９が係合している。前記下グリップ部３０は、前記上グリップ部１５と同一の外径を備えた丸軸状に形成されるとともに、その外周面には軸方向に複数の凹条３１が滑り止めとして形成されている。
【００３３】
前記下グリップ部３０の上部には、前記上グリップ部１５内に挿入可能とした第一の縮径部３２が形成されている。前記第一の縮径部３２の上部には、前記上グリップ部１５の第二のカム体２６の下部に形成される環状のリブ３３間に挿通される第二の縮径部３４が形成されている。
【００３４】
前記第二の縮径部３４の上部には前記第三のカム体２９が形成されている。この第三のカム体２９は、第二のカム体２６の各突部２７ａ〜２７ｄに係合する係合片３６ａ〜３６ｄが９０度間隔で形成されている。その係合片３６ａ〜３６ｄは、各突部２７ａ〜２７ｄ間において、前記第一のカム体１９の突部２４ａ，２４ｂの下方で上下方向に相対移動可能に保持されるとともに、前記リブ３３上に保持されている。また、各係合片３６ａ〜３６ｄの上面は、前記第二のカム体２６の突部２７ａ〜２７ｄに設けられた斜面２８と同方向の斜面３７となっている。
【００３５】
前記上グリップ部１５のリブ３３と前記下グリップ部３０の第一の縮径部３２との間にはコイルスプリング３８が配設されている。そして、リブ３３を支点とするコイルスプリング３８の付勢力により、常には下グリップ部３０が下方へ付勢されている。
【００３６】
次に、上記のように構成された横型ブラインド及び操作装置１４の作用を説明する。
操作装置１４の不操作時には、図２（ａ）及び図３（ａ）（ｂ）に示すように、操作棒９の下端に取着された第一のカム体１９のフランジ部２０を支点とするコイルスプリング２３の付勢力により、上グリップ部１５は第二のカム体２６の突部２７ａ〜２７ｄの上端がフランジ部２０の直下に位置している。
【００３７】
また、リブ３３を支点とするコイルスプリング３８の付勢力により、第三のカム体２９がリブ３３に当接する状態となり、上グリップ部１５と下グリップ部３０との間隔ｇは最大となる。また、第一のカム体１９の突部２４ａ，２４ｂの斜面２５と、その下方に位置する第三のカム体２９の斜面３７との間には所定の間隙が確保されている。
【００３８】
この状態で、下グリップ部３０を把持して回転操作すると、下グリップ部３０の回転は係合片３６ａ〜３６ｄから上グリップ部１５の突部２７ａ〜２７ｄに伝達され、その突部２７ａ〜２７ｄから第一のカム体１９の突部２４ａ，２４ｂに伝達される。すると、下グリップ部３０の正逆方向の回転操作に基づいて操作棒９が同方向に回転され、操作棒９の回転によりスラット３が全閉方向あるいは逆全閉方向に回動される。
【００３９】
図２（ａ）に示す状態から、下グリップ部３０を保持しながら上グリップ部１５を下方へ引き下げると、図２（ｂ）及び図３（ｃ）に示すように、まずコイルスプリング３８が圧縮されて第三のカム体２９が相対的に上方へ移動する。そして、第一のカム体１９の突部２４ａ，２４ｂの斜面２５が、第三のカム体２９の係合片３６ａ〜３６ｄのうちの対向する二つの係合片の斜面３７に当接する。
【００４０】
この状態から、上グリップ部１５をさらに引き下げると、図２（ｃ）及び図３（ｄ）に示すように、コイルスプリング２３，３８がさらに圧縮され、第一のカム体１９及び第三のカム体２９の互いに当接する斜面２５，３７は第二のカム体２６の突部２７ａ〜２７ｄの上端より上方に相対移動する。
【００４１】
すると、コイルスプリング２３の付勢力により、第一のカム体１９はその斜面２５が第三のカム体２９の斜面３７に沿って滑りながら回転され、操作棒９が回転される。そして、図３（ｅ）に示すように、例えば第一のカム体１９の突部２４ａ，２４ｂは、第二のカム体２６の突部２７ａ，２７ｂ間と突部２７ｃ，２７ｄ間から第二のカム体２６の突部２７ａ，２７ｃの斜面２８上に移動する。
【００４２】
この状態で上グリップ部１５の引き下げを停止すると、コイルスプリング２３，３８が伸張して図２（ｅ）及び図３（ｆ）に示す状態となり、第一のカム体１９の突部２４ａ，２４ｂが第二のカム体２６の突部２７ｂ，２７ｃ間と突部２７ｄ，２７ａ間に移動する。このとき、操作棒９は図２（ａ）に示す状態から９０度回転される。
【００４３】
このような動作により、第一〜第三のカム体１９，２６，２９とコイルスプリング２３，３８により、一定ストロークの往復動作を一定角度ずつ回転する回転動作に変換するラチェット機構が構成される。そして、下グリップ部３０に対し上グリップ部１５を上下方向に往復動作させることにより、操作棒９が一方向へ９０度ずつ回転される。すると、例えばスラット３が逆全閉方向から全閉方向に向かって一定角度ずつ、例えば２０度前後ずつ回動される。
【００４４】
従って、上記操作装置１４を備えた横型ブラインドでは、スラット３を逆全閉方向から全閉方向に回動させるとき、上グリップ部１５を上下方向に往復動作させることにより、スラット３を一定角度ずつ回動することが可能となる。
【００４５】
上記のように構成された操作装置１４を備えた横型ブラインドでは、次に示す効果を得ることができる。
（１）下グリップ部３０を回転操作することにより、操作棒９を回転させてスラット３の角度調節操作を行うことができる。
（２）下グリップ部３０に対し上グリップ部１５を上下方向、すなわち操作棒９の軸方向に往復動作させることにより、操作棒９を一方向に９０度ずつ回転操作することができる。従って、スラット３を一定角度ずつ回動させることができる。
（３）上グリップ部１５を引き下げると、第二のカム体２６が第一のカム体１９に対し相対的に下方へ移動し、コイルスプリング２３の付勢力と第一のカム体１９の斜面２５、第三のカム体２９の斜面３７及び第二のカム体２６の斜面２８の作用により、操作棒９を９０度回転させることができる。
（４）上グリップ部１５を手放すと、コイルスプリング２３，３８の付勢力により、下グリップ部３０の回転を操作棒９に伝達し得る状態に自動的に復帰させることができる。
（５）スラット３を例えば逆全閉方向から全閉方向に向かって一定角度ずつ回動させることができるので、窓面に沿って複数の横型ブラインドを連装する場合に、各ブラインドのスラットの角度を容易に揃えることができる。
（６）連装された横型ブラインドにおいて、スラット３を自重降下させた後、上グリップ部１５を上下方向に同一回数で往復動作させると、スラット３を同一角度に容易に角度調節することができる。
（第二の実施形態）
図４〜図６は操作装置の第二の実施形態を示す。操作装置以外の構成は、前記第一の実施形態と同様である。第一の実施形態と同一構成部分は、同一符号を付して説明する。
【００４６】
図４及び図５に示す操作装置４１は、ほぼ円筒状のグリップ本体４２内に操作棒９の下端部が挿通されている。
前記操作棒９は中空状の六角棒で形成され、前記グリップ本体４２の上端部にキャップ４３が嵌着されている。前記キャップ４３の径方向中央部には前記操作棒９の直径より若干大きい直径の断面円形の挿通孔４４が形成され、その挿通孔４４に前記操作棒９が回転可能に挿通されている。
【００４７】
前記キャップ４３に挿通された操作棒９の下端には、第四のカム体４５が取着されている。第四のカム体４５は、その中間部に前記グリップ本体４２内に挿入可能とした直径でフランジ部４６が形成されている。
【００４８】
前記フランジ部４６の中心部から上方へ延びる嵌合筒部４７の内周面の一側には係止突起４７ａが形成され、前記操作棒９の下端部には前記係止突起４７ａに係合可能とした係合孔９ａが形成されている。
【００４９】
そして、操作棒９の下端部を嵌合筒部４７内に嵌挿し、係止突起４７ａを係合孔９ａに係合させることにより、操作棒９の下端に第四のカム体４５が相対回転不能に嵌着されている。従って、前記第四のカム体４５は前記操作棒９とともにグリップ本体４２内で上下方向に相対移動可能にかつ回転可能に支持されている。
【００５０】
前記嵌合筒部４７の上端部には前記操作棒９の下端部を挿通したワッシャー４８が配設され、そのワッシャー４８と前記キャップ４３との間にはコイルスプリング４９が配設され、常にはそのコイルスプリング４９の付勢力によりワッシャー４８とキャップ１７との間に一定の間隔が確保されている。
【００５１】
前記フランジ部４６の下面には、図５及び図６に示すように、中心に対し線対称状となる位置に、下方に向かって突出する突部５０ａ，５０ｂが形成され、その突部５０ａ，５０ｂの下端には周方向に沿って傾く点対称状の斜面５１がそれぞれ形成されている。この突部５０ａ，５０ｂ及び斜面５１は、第一の実施形態の第一のカム体１９の突部２４ａ，２４ｂ及び斜面２５と同様な構成である。
【００５２】
前記グリップ本体４２の内周面下部には、前記第四のカム体４５に係合する第五のカム体５２が一体に形成されている。第五のカム体５２は、図５及び図６に示すように、グリップ本体４２の内周面に断面扇形の突部５３ａ〜５３ｄが９０度間隔に形成され、各突部５３ａ〜５３ｄ間に前記第四のカム体４５の突部５０ａ，５０ｂが上下動可能にかつ相対回転不能に挿通されている。
【００５３】
前記突部５３ａ〜５３ｄの上端には、前記突部５０ａ，５０ｂの斜面５１と同方向の斜面５４が形成されている。そして、図６（ｃ）に示すように、突部５０ａ，５０ｂの下端が突部５３ａ〜５３ｄの上端より上方に位置すると、突部５０ａ，５０ｂの斜面５１が突部５３ａ〜５３ｄの斜面５４上に移動して、第四のカム体４５と第五のカム体５２とが相対的に回転可能となっている。
【００５４】
前記グリップ本体４２内の下部には送りコマ５５が上下動可能に支持されている。すなわち、前記グリップ本体４２の下端縁には送りコマ５５の軸部５６を挿通可能とした挿通孔５７が形成され、送りコマ５５はグリップ本体４２に前記操作棒９、第四のカム体４５及びコイルスプリング４９を挿入する前に、上方からグリップ本体４２内に挿入されている。
【００５５】
前記送りコマ５５の上部には、前記第五のカム体５２に係合する第六のカム体５８が形成されている。この第六のカム体５８は、第五のカム体５２の各突部５３ａ〜５３ｄに係合する係合片５９ａ〜５９ｄが９０度間隔で形成されている。
【００５６】
係合片５９ａ〜５９ｄは、前記グリップ本体４２内の各突部５３ａ〜５３ｄ間において、前記第四のカム体４５の突部５０ａ，５０ｂの下方で上下方向に相対移動可能に保持されている。また、各係合片５９ａ〜５９ｄの上面は、前記第五のカム体５２の突部５３ａ〜５３ｄに設けられた斜面５４と同方向の斜面６０となっている。
【００５７】
前記送りコマ５５の軸部５６の下端にはグリップキャップ６１が螺合されている。そして、グリップキャップ６１を把持して、グリップキャップ６１と前記第六のカム体５８との間の軸部５６をグリップ本体４２に対し出没させて、送りコマ５５をグリップ本体４２に対し上下方向に移動操作可能となっている。
【００５８】
次に、上記のように構成された操作装置４１の作用を説明する。
操作装置４１の不操作時には、図４及び図６（ａ）に示すように、コイルスプリング４９の付勢力により第四のカム体４５のフランジ部４６は、第五のカム体５２の突部５３ａ〜５３ｄの直上に位置している。
【００５９】
また、送りコマ５５の第六のカム体５８は、グリップ本体４２内の下縁に位置して、第四のカム体４５の斜面５１と第六のカム体５８の斜面６０との間には所定の間隙が確保されている。
【００６０】
この状態で、グリップ本体４２を把持して回転操作すると、グリップ本体４２の回転は第五のカム体５２の突部５３ａ〜５３ｄから第四のカム体４５の突部５０ａ，５０ｂに伝達され、その第四のカム体４５から操作棒９に伝達される。すると、グリップ本体４２の正逆方向の回転操作に基づいて操作棒９が同方向に回転され、操作棒９の回転によりスラット３が全閉方向あるいは逆全閉方向に回動される。
【００６１】
図６（ａ）に示す状態から、グリップ本体４２を保持しながら送りコマ５５を上方へ押し上げると、図６（ｂ）に示すように、まず第六のカム体５８の係合片５９ａ〜５９ｄが上方へ押し上げられて、その斜面６０が第四のカム体４５の斜面５１に当接する。
【００６２】
次いで、送りコマ５５をさらに上方へ押し上げると、図６（ｃ）に示すように、第四のカム体４５が上方へ押し上げられるとともに、コイルスプリング４９が圧縮される。そして、第四のカム体４５の突部５０ａ，５０ｂが第五のカム体５２の突部５３ａ〜５３ｄより上方へ移動すると、図６（ｅ）に示すように、コイルスプリング４９の付勢力により突部５０ａ，５０ｂの斜面５１が例えば突部５３ａ，５３ｃの斜面５４に沿って移動して第四のカム体４５がグリップ本体４２及び送りコマ５５に対し回転する。
【００６３】
次いで、図６（ｅ）に示すように、送りコマ５５を下方へ引き下げると、第四のカム体４５の突部５０ａ，５０ｂが第五のカム体５２の突部５３ｂ，５３ｃ間と突部５３ｄ，５３ａ間に移動する。このとき、操作棒９は図６（ａ）に示す状態から９０度回転される。
【００６４】
このような動作により、第四〜第六のカム体４５，５２，５８とコイルスプリング４９により、送りコマ５５の一定ストロークの上下方向の往復動作を一定角度ずつ回転する回転動作に変換するラチェット機構が構成される。
【００６５】
そして、グリップ本体４２に対し送りコマ５５を上下方向に往復動作させることにより、操作棒９が一方向へ９０度ずつ回転される。すると、例えばスラット３が逆全閉方向から全閉方向に向かって一定角度ずつ回動される。
【００６６】
従って、上記操作装置４１を備えた横型ブラインドでは、スラット３を逆全閉方向から全閉方向に回動させるとき、送りコマ５５を上下方向に往復動作させることにより、スラット３を一定角度ずつ回動することが可能となる。
【００６７】
上記のように構成された操作装置４１を備えた横型ブラインドでは、次に示す効果を得ることができる。
（１）グリップ本体４２を回転操作することにより、操作棒９を回転させてスラット３の角度調節操作を行うことができる。
（２）グリップ本体４２に対し送りコマ５５を上下方向、すなわち操作棒９の軸方向に往復動作させることにより、操作棒９を一方向に９０度ずつ回転操作することができる。従って、スラット３を一定角度ずつ回動させることができる。
（３）送りコマ５５を押し上げると、第五のカム体５２が第四のカム体４５に対し相対的に下方へ移動し、コイルスプリング４９の付勢力と第四のカム体４５の斜面５１、第五のカム体５２の斜面５４及び第六のカム体５８の斜面６０の作用により、操作棒９を９０度回転させることができる。
（４）送りコマ５５を手放すと、コイルスプリング４９の付勢力により、グリップ本体４２の回転を操作棒９に伝達し得る状態に自動的に復帰させることができる。
（５）スラット３を例えば逆全閉方向から全閉方向に向かって一定角度ずつ回動させることができるので、窓面に沿って複数の横型ブラインドを連装する場合に、各ブラインドのスラットの角度を容易に揃えることができる。
（６）連装された横型ブラインドにおいて、スラット３を自重降下させた後、上グリップ部１５を上下方向に同一回数で往復動作させると、スラット３を同一角度に容易に角度調節することができる。
【００６８】
上記実施形態は、以下の態様で実施してもよい。
・第一の実施形態において、第二のカム体の突部及び第三のカム体の係合片を９０度間隔以外の間隔としてもよい。例えば１２０度間隔、６０度間隔、４５度間隔とすれば、上グリップ部１５の引き下げ操作により操作棒９を１２０度、６０度、４５度ずつ回転操作することができる。第二の実施形態においても同様である。
・操作装置１４，４１内のラチェット機構をヘッドボックス内に配設してもよい。ヘッドボックス内に回転可能に支持された角度調節軸に対し上記のようなラチェット機構を備え、ヘッドボックス外から上記操作装置１４の上グリップ部に相当する部分を往復操作するようにしてもよい。
・ハンガーレールから吊下支持される操作棒を回転操作することにより、スラットを回動操作可能とした縦型ブラインドにおいて、操作棒に上記のようなラチェット機構を備えてもよい。
・駆動軸の回転操作に基づいて日射遮蔽材を駆動する複層ガラス内蔵ブラインドやオーニング等の日射遮蔽装置の駆動軸に上記のようなラチェット機構を備えた操作装置を備えてもよい。
【符号の説明】
【００６９】
１…枠体（ヘッドボックス）、３…遮蔽材（スラット）、７…駆動軸、９…操作棒、１５…移動操作体（上グリップ部）、１９…ラチェット機構（第一のカム体）、２３…ラチェット機構（コイルスプリング）、２６…ラチェット機構（第二のカム体）、２９…ラチェット機構（第三のカム体）、３８，４９…コイルスプリング、４５…ラチェット機構（第四のカム体）、５２…ラチェット機構（第五のカム体）、５５…移動操作体（送りコマ）、５８…ラチェット機構（第六のカム体）。
【図１】
0005941670.tif 000002
【図２】
0005941670.tif 000003
【図３】
0005941670.tif 000004
【図４】
0005941670.tif 000005
【図５】
0005941670.tif 000006
【図６】
0005941670.tif 000007